(57)【要約】【課題】ナス科果菜、特にトマトにおいて数種類の果実が実る一本苗の生産を可能に至らしめる。苗先端部摘除、苗の複数切断、接木或は接木と挿し木併用、特殊な接ぎ木具の使用、脇芽先端部切除などの簡便な方法で、苗の生産を効率良く行い、苗の商品化率も高く、生産原価を大幅に下げ、新規な野菜苗として一般に普及することができる。【解決手段】二種類以上のナス科果菜苗（Ａ１）について、各苗（Ａ１）の先端部（Ａ３）を摘除（切断線）し、脇芽（Ａ５）を確認して苗（Ａ１）を複数切断（切断線）し、各種類の自根切断部分（Ｃ６−１）と切断部分（Ａ６、Ｂ６、Ｃ６）を特殊な線状部材（１２ａ、１２ｂ）でかけあわせ接木（７）し、接木苗（８）の各脇芽（Ａ５、Ｂ５、Ｃ５）の伸長バランスを脇芽先端部（Ａ１３）切除（切断線）により調整する。【選択図】  図３
2006025779.tif 000002
【特許請求の範囲】
【請求項１】
二種類以上のナス科果菜苗について、本葉２〜８枚期にそれぞれの苗の主枝先端部を摘除して育成し、葉の付け根から脇芽が長さ数ミリ〜数十ミリの生育に達した時点でそれぞれの苗を複数切断することにより、脇芽を含む自根切断部分と脇芽を含む複数の切断部分を得て、自根切断部分と切断部分の接木或は切断部分同士の接木の場合は挿し木を並行して二種類以上のナス科果菜のかけあわせ接木を行い、それらのかけあわせ接木苗から伸長するナス科果菜の各脇芽のうち伸長著しい脇芽について、芽の発生した葉の付け根を残して先端部を切除することを特徴とする請求項１の数種類の果実が実る野菜苗。
【請求項２】
接木前、各ナス科果菜苗を着色する請求項１の数種類の果実が実る野菜苗。
【請求項３】
接合する茎内に、一本以上の柔軟性線状部材を差し込んで接木する請求項１の数種類の果実が実る野菜苗。
【請求項４】
請求項３の一本以上の柔軟性線状部材が二〜三本で、直径０．１〜１．５ｍｍで、長さは７〜６０ｍｍであること。
【請求項５】
請求項３の柔軟性線状部材が、木、竹、植物のトゲ、針金、魚の骨、プラスチック材などの素材のうち少なくとも一種で構成されたもの。
【請求項６】
かけあわせ接木苗から発生するナス科果菜の各脇芽は一本ずつ残し、他は摘除する請求項１の数種類の果実が実る野菜苗。
【請求項７】
かけあわせ接木苗の伸長著しい脇芽について、芽を残して先端部を切除し、異なるナス科果菜の枝を接木する請求項１の数種類の果実が実る野菜苗。
【請求項８】
トマトの二品種以上のかけあわせ接木苗である請求項１の数種類の果実が実る野菜苗。
【請求項９】
請求項８のトマトの品種について、ＴＭＶ抵抗性Ｔｍ２型或はＴｍ２ａ型のいずれかで、有支柱栽培用で、果実色は赤色と黄色と橙色のなかでそれぞれ平均果重と果形が異なるうちで、熟果平均果重が１０〜７０ｇの小玉から中玉品種の範囲であること。
【請求項１０】
請求項８、請求項９のトマトのかけあわせが、赤色中玉果と赤色小玉果と黄色小玉果と橙色小玉果のうち二〜四品種を用いること。
【請求項１１】
請求項１の数種類の果実が実る野菜苗を、培土量２０〜１００リットルの鉢に植え付けて通常の栽培管理を行うことにより果実品質を向上させること。
【請求項１２】
台木用品種の自根切断部を用いる請求項１の数種類の果実が実る野菜苗。
【発明の詳細な説明】
【技術分野】
【０００１】  本発明は、一本苗に数種類のナス科果菜の果実を実らせる野菜苗に関するものである。
【背景技術】
【０００２】  従来、一本の苗から複数の果実が得られる野菜苗に関し、発明者らのたゆまぬ研究成果から次の発明が知られている。先ず、二品種の幼苗をそれぞれ一箇所ずつ切断して交換接木し、苗を芯止めして品種ごとの脇芽を発生させる野菜の二品種側枝二本仕立て苗（特開２００１−１２８５５０）。次に、幼苗を台木と穂木にわけ、数種類の穂木の子葉を有する切断部分を直列に台木に接木し、一本苗から品種ごとの脇芽を発生させる野菜の多品種側枝多本仕立て苗（特開２００１−３４００２１）。それに、トマト三品種で前述の方法を行うトマトの三品種側枝三本仕立て苗（（特開２００１−３４００２２）などである。これらの発明によれば、一本苗で数種類の果実が収穫できる苗を育苗トレイ上で大量に生産できる。
しかし、これらの方法は、本葉２〜３枚の幼苗を使用し、葉の付け根から品種ごとの脇芽の発生を確認しないまま接木するので、接木苗から品種ごとの脇芽が枝となって完全に発生せず、商品に値しない苗となる欠点があった。また、幼苗は葉の付け根から発生する脇芽の勢いが弱く揃わず、品種ごとの脇芽の伸長が不釣合いになり、販売苗として見栄えが悪い欠点があった。また、野菜の二品種側枝二本仕立て苗は、二品種苗の交換接木なので、二本苗から二本以上の接木苗を作ることは出来ない欠点があった。また、野菜の多品種側枝多本仕立て苗は、複雑に絡んだ品種構成のため、草姿が同一な苗を品種ごと、或いは台木、穂木に区分けする手間がかかり、その上、接木時に品種の混同間違いが生じやすい欠点があった。
さらに、従来の接木支持具（（特許  第２５５９３２３号  ピン接ぎ法）は接合茎内にピンを一本挿入して二種類の植物を合体させるが、接合下部の茎より上部の茎が太いと、接合上部の茎が半回転して固定できず、接木活着が悪く、また、接木活着しても、苗の扱いが乱雑だと接合部分が脆く外れる欠点があった。チューブ型（ナスニックス（株）製スーパーウイズなど）接木支持具もあるが、これは接合する双方の茎の太さが揃わないと接木できない欠点があった。
以上のように、従来の技術は、特に肝心である一本苗から品種ごとの脇芽発生及び技の伸長が不備で、苗の接木使用効率が低く、接木での苗の混同間違いが生じ安く、接木支持具は不適応で、苗の商品化率が低いなどの問題があった。
【発明が解決しようとする課題】
【０００３】  本発明は、かかる事情に鑑み鋭意研究を重ねた結果、生育力旺盛な苗が主枝の先端部を失えば、生長のエネルギーは行き場を失い、急激に向きを変えて各葉の付け根の脇芽発生に集中することに着目し、接木する前に苗の主枝先端部の摘除を行って育成することにより、各葉の付け根から脇芽が確実に早く発生し、その脇芽を含む茎葉部分を切断して接木に利用すれば、その接木苗からナス科果菜の種類ごとの脇芽が完全に枝となって伸長し、それぞれの種類ごとの果実を着果至らしめる考えに到達した
また本発明は、ナス科果菜の種類ごとの育成苗を複数切断し、得た複数の切断部分を接木に用いるので育成苗の接木使用効率を高めることができ、また、育成苗を各種類に応じて着色することにより接木時の品種混同間違いを防いで接木作業を円滑に行うことができ、接合する互いの茎の太さが異なっても、特殊な線状部材により双方の茎の接合部を完全固定して接木活着率を高めることができる。また、接木苗の各ナス科果菜の脇芽は一本ずつにし、その脇芽の先端切除操作により各脇芽の伸長バランスを整え、販売苗として見栄え良く、かつ商品化率を高めることができる。また、脇芽先端を切除してさらに別のナス科果菜の枝を接木することにより果実の種類を増やすこともでき、限られた培土量の鉢で一本苗の根を通じて数種類の果実が実るので果実成分が濃縮され、糖度などの品質を向上させることもできる。また、一本苗で色々なナス科の作物、品種のかけあわせができ、その上、台木品種を土台に用いることにより、耐病性、強健性も付与できる数種類の果実が実る野菜苗の提供を目的とすることにある。
【課題を解決するための手段】
【０００４】  すなわち本発明は数種類の果実が実る野菜苗であって、二種類以上のナス科果菜苗について、本葉２〜８枚期にそれぞれの苗の主枝先端部を摘除して育成し、葉の付け根から脇芽が長さ数ミリ〜数十ミリの生育に達した時点でそれぞれの苗を複数切断することにより、脇芽を含む自根切断部分と脇芽を含む複数の切断部分を得て、自根切断部分と切断部分の接木或は切断部分同士の接木の場合は挿し木を並行して二種類以上のナス科果菜のかけあわせ接木を行い、それらのかけあわせ接木苗から伸長するナス科果菜の各脇芽のうち伸長著しい脇芽について、芽の発生した葉の付け根を残して先端部を切除することを特徴とする。
また本発明は、接木前に育成苗を種類別に着色しておき、接木支持具は一本以上の柔軟性線状部材を用い、接木苗から発生するナス科果菜の種類ごとの脇芽は一本ずつ残して他は切除し、伸長の早い脇芽は先端部を切除して異なるナス科果菜の枝を接ぎ木することも特徴とする。
また本発明は、ナス科作物若しくはトマトの二〜四品種のかけあわせであって、使用するトマトはＴＭＶ抵抗性がＴｍ２型或はＴｍ２ａ型で、果実色は赤色と黄色と橙色のなかの平均果重と果形がそれぞれ異なるうちで、熟果平均果重が１０〜７０ｇの小玉から中玉の有支柱栽培品種で、培土量２０〜１００リットルの鉢を用いてかけあわせ接木一本苗を栽培し、さらに、台木用品種の自根切断部を用いることなどを特徴とする数種類の果実が実る野菜苗である。
【０００５】  以下、本発明の数種類の果実が実る野菜苗について実施例を示し、添付した図面に基づき具体的に説明する。
【実施例１】
【０００６】
【０００７】  先ず、本発明の一本苗に数種類のナス科果菜果実が実る組み合わせとして、トマト、ナス、パプリカ、シシトウ、ナンバン、ホウズキなどの異なるナス科作物同士、また、同一作物で熟果の色、果実の大きさ、果形などの異なる品種同士の組み合わせなどが上げられる。
トマトの品種を用いる場合、ＴＭＶ抵抗性がＴｍ２型或はＴｍ２ａ型が好ましい。Ｔｍ１型或はＴＭＶ感受性の品種を加えると枝が早く枯れ、果実に壊疽が発生する恐れがある。また、熟果平均果重が１０〜７０ｇの小玉から中玉の有支柱栽培品種を用いることが、限られた培土量の鉢植えなどで、一本苗の二〜四品種の枝が着果の負担が少なく伸長する上で好ましい。また、果実色は赤色と黄色と橙色のなかで、それぞれ果形、平均熟果重の異なる品種の中から二種類以上かけあわせることが果実の彩りを鮮やかに表現する上で好ましい。
また、耐病性台木品種の苗を土台にすると、その病気抵抗性の形質を、数種類の作物、或いは数種類の品種の枝に余すことなく有効利用できる。【０００８】    （接木前の苗の育成操作）
〔図１〕に、育苗トレイなどで育成したナス科果菜苗（Ａ１）の本葉３枚期に、生育先端部（Ａ３）を摘除する状態を示す。
先ず、本葉３枚期の苗（Ａ１）で、主枝（Ａ２）、子葉の付け根（Ａ４−１）が二箇所、本葉（Ａ４）の付け根が三箇所を示す。次に、育成したナス科果菜苗（Ａ１）の主枝（Ａ２）の先端部（Ａ３）を、カッター若しくは園芸バサミなどで切断（切断線）する。先端部（Ａ３）の摘除は、本葉３枚期の苗（Ａ１）に限定するものではなく、脇芽が発生する葉の付け根が４〜１０枚得られる本葉２〜８枚期の苗が好ましい。
次に、〔図２〕に、脇芽（Ａ５）が発生した苗（Ａ１）を着色して複数切断（切断線）した接木直前の苗（Ａ１）の状態を示す。
苗（Ａ１）の先端部（Ａ３）を摘除して７〜２１日育成し、簡易スプレー（１１）等で着色液（１０）を苗（Ａ１）に吹きかけ、苗（Ａ１）を品種ごと、或いは作物ごとに色分けする。
着色液（１０）に用いる着色料は、食用に供する作物の苗（Ａ１）に吹きかけるので、食品用着色料が好ましい。葉を染めて色分けする場合、赤色と青色の着色料が好ましく、２００倍〜１，０００倍の希釈倍数で、苗（Ａ１）を色で識別できる程度に染まればよい。次に、苗（Ａ１）の葉の付け根（Ａ４、Ａ４−１）から長さ数ミリ〜数十ミリに生育した脇芽（Ａ５）を確認して苗（Ａ１）を三箇所切断（切断線）し、自根切断部分（Ａ６−１）と切断部分（Ａ６）を得る。尚、〔図２〕では３箇所切断であるが、適宜な脇芽（Ａ５）が含まれている部分を得るために２箇所或いは４箇所或はそれ以上の切断でも良い。また、苗（Ａ１）の最上段の切断部分（Ａ６）は、接木（７）で重ねるとき最上部に用いるか或は最上段の切断部分（Ａ６）の上部分を少し切断して接木（７）に利用しても良い。
（接木操作）
〔図３〕に、切断部分（Ａ６）を、種類の異なるナス科果菜苗の自根切断部分（Ｃ６−１）に接木（７）し、その上に種類の異なるナス科果菜苗の断部分（Ｂ６）を接木（７）した状態を示す。
先ず、〔図１〕と〔図２〕で示した苗（Ａ１）と同様の育成、先端部分摘除及び複数切断した別の二種類のナス科果菜苗（図示せず）からも同様の自根切断部分と切断部分を得る。
〔図３〕から、切断部分（Ａ６）を、種類の異なるナス科果菜の自根切断部分（Ｃ６−１）に二本の線状部材（１２ａ、１２ｂ）を介して接木（７）し、その上に種類の異なるナス科果菜の切断部分（Ｂ６）を二本の線状部材（１２ａ、１２ｂ）を介して接木（７）し、ナス科果菜かけあわせ一本苗（８）を作成する。このときそれぞれの脇芽（Ａ５、Ｂ５、Ｃ５、Ｃ５−１）は発生した状態で接木（７）される。
線状部材（１２ａ、１２ｂ）は、直径０．１〜１．５ｍｍで、長さは７〜６０ｍｍであって、通常は長さ１５ｍｍ程度で使用するが、長めにすると、重ね合わせている全ての接合部の茎を貫き挿して固定することもできる。また、この線状部材は柔軟性があって折れにくい素材が好ましく、木製、竹製、植物のトゲ、針金、魚の骨、プラスチック材、カーボン材、食物繊維などのうち少なくと一種で構成されたものであることが好ましい。
双方の茎の接合部に二本の線状部材（１２ａ、１２ｂ）を差し込むことにより、従来法のピン一本接木法（特許２５５９３２３号）より接木（７）接合部が固定され、接木（７）の活着が良い。また本発明の接木支持具は、接合する茎の太さが異なって接合部にずれがあっても接木活着率が高い。また、茎接合部のずれが大福であれば、二本以上の線状部材を差し込んで固定することが好ましい。また、魚の骨を線状部材として用いる場合、骨の表面が不規則な形状をしているものは、一旦茎に差し込むと抜けにくくなり、一本の魚の骨を両端の茎内に差し込むだけで接合茎を充分に固定できる。サバ科などの魚の背骨の内から直径０．５〜１．５ｍｍのものを選び、長さを２０ｍｍに切断して使用すると良い。
次に、〔図４〕に、切断部分（Ａ６、Ｂ６、Ｃ６）同士を接木（７）し、さらに挿し木（９）した状態を示す。
切断部分（Ａ６）を、土台となる種類の異なるナス科果菜の切断部分（Ｃ６）に二本の線状部材（１２ａ、１２ｂ）を介して接木（７）し、その上に種類の異なるナス科果菜の切断部分（Ｂ６）を二本の線状部材（１２ａ、１２ｂ）を介して接木（７）する。そして、下端の切断部分（Ｃ６）の先を培地に挿し木（９）し、ナス科果菜のかけあわせ一本苗（８）を作成する。このときそれぞれの脇芽（Ａ５、Ｂ５、Ｃ５）は発生した状態で接木（７）される。
〔図３〕〔図４〕では、ナス科果菜が三種類同士の接木（７）或いは接木（７）と挿し木（９）であるが、三種類に限定するわけではなく、二種類或は四種類の組み合わせであってもかまわない。また、切断部分（Ａ６、Ｂ６、Ｃ６）同士の重ね合わせ順についてはこだわるものではない。注）〔図３〕〔図４〕の接木（７）部分の隙間は接木（７）終了と同時に密着する。
（接木後の養生）
接木（７）と挿し木（９）が完了したら直にその接木苗（８）を育苗トレイごと湿度９５％程度、温度２７〜３２℃、薄曇り条件のもと３〜６日間養生する。その後直接日光の当たらない場所に育苗トレイを移して除々に外気に馴らす操作、馴化処理を数日行う。
（接木活着後の操作）
〔図５〕に、接木苗（８）から発生するナス科果菜の種類ごとの脇芽（Ａ５、Ａ５−１、Ｂ５、Ｂ５−１、Ｃ５、Ｃ５−１）をそれぞれ一本にする状態を示す。
接木苗（８）から種類の異なるナス科果菜の脇芽（Ａ５、Ａ５−１、Ｂ５、Ｂ５−１、Ｃ５、Ｃ５−１）の発生数が多い場合、その脇芽（Ａ５−１、Ｂ５−１、Ｃ５−１）を摘除し、それぞれナス科果菜の種類ごと一本ずつの脇芽（Ａ５、Ｂ５、Ｃ５）とする。この場合、生育の揃っているものを選んで残す。
次に、〔図６〕に、接木苗（８）から発生する脇芽（Ａ５、Ｂ５、Ｃ５）の伸長バランスの調整を示す。
接木苗（８）の脇芽（Ａ５、Ｂ５、Ｃ５）のうち、伸長の早い脇芽（Ａ５）について、芽（Ａ１５）の発生した葉の付け根（Ａ１４−１）を残して先端部（Ａ１３）を切除（切断線）する。接木苗（８）の生育に伴い、再び脇芽（Ａ５、Ｂ５、Ｃ５）の伸長に不釣合いが生じた場合、再度伸長しすぎた脇芽（Ａ５、Ｂ５、Ｃ５）のいずれか先端を切除する。この場合、必ず芽が発生した葉の付け根を残すことが次の枝を伸長させる上で好ましい。
また、接木苗（８）から伸長する脇芽（Ａ５、Ｂ５、Ｃ５）のうち伸長の早い脇芽（Ａ５）について芽（Ａ１５）を残して切断し、該接木苗（８）にさらに別の異なる種類のナス科果菜の枝を接木し、一本苗に実る果実の種類を増やすことも容易くできる。
（鉢上げ及び育苗管理）
接木苗（８）の根が育苗トレイに根鉢を形成したら、床土を詰めたポリポットなどの移植鉢に植えかえて育成し、さらにそれを培土量２０〜１００リットルの鉢に植付けて栽培管理を行う。限られた培土量で、一本の苗の根を通じて数種類の枝が伸長してたわわに実を着けることにより、各果実成分が濃縮され、可溶性固形分などの含量が多くなり、果実品質が向上する。【０００９】  次に、本発明の数種類の果実が実る野菜苗について、トマトの三品種組み合わせで実施した結果を示し、さらに具体的に説明する。
【実施例２】
【００１０】
【００１１】    （本発明に用いるトマトの品種の選抜）
先ず、耐病性を有する台木１品種と、一般栽培に適応し、知名度が高く、果実色、食味に優れている小玉から大玉の有支柱栽培用７品種を選び抜いた。種苗会社と品種は次の通りである。タキイ種苗（株）製の桃太郎ヨーク（赤大玉）、桃太郎（赤大玉）、イエローピコ（黄小玉）、千果（赤小玉）台木品種の影武者、それとカネコ種苗（株）製のレッドオーレ（赤中玉）、イエローミミ（黄小玉）、それに（株）サカタのタネ製のオレンジキャロル（橙小玉）である。注）（）内に品種の果実色と果実の大きさを記す。
次に、各品種苗について、本葉３枚期に生育先端部を摘除して１５日育成し、葉の付け根から脇芽が発生した時点で各苗を切断し、７品種それぞれ脇芽を含む切断部分を台木品種の自根切断部分に重ね合わせて接木（接木順は、影武者に桃太郎ヨークを、その上に桃太郎、レッドオーレ、イエローミミ、イエローピコ、オレンジキャロル、そして最上段に千果）し、その接木苗を露地圃場に植え付け、かけあわせ接木苗から７品種の各枝を一本ずつ伸長させて果実の収穫まで健全に生育するか否か調査した
その結果、ＴＭＶ抵抗性がＴｍ２型またはＴｍ２ａ型の品種である桃太郎ヨーク（Ｔｍ２ａ）レッドオーレ（Ｔｍ２）イエローミミ（Ｔｍ２）オレンジキャロル（Ｔｍ２）千果（Ｔｍ２ａ）の枝葉は順調に生育し、収穫果実も健全であった。これに対し、桃太郎（Ｔｍ１）は果実に壊疽が発生し、イエローピコ（不明）は葉が枯れて枝の生育が衰えた。影武者（Ｔｍ２ａ）は台木品種なので脇芽を摘除し調査しなかった。注）（）内はＴＭＶ抵抗性因子を示す。
それと、桃太郎ヨークと桃太郎は果房に数個の大きな果実（平均果重２００〜２３０ｇ）が成り、枝の負担が大きく、枝の伸長が他の品種より出遅れて不釣合いとなった。小玉から中玉果実（平均果重１０〜７０ｇ）であるレッドオーレ、イエローミミ、オレンジキャロル、千果の枝は着果負担が少なく順調に伸び、生育のバランスが良好であった
以上の結果から、本発明に用いるトマトの品種について、ＴＭＶ抵抗性がＴｍ２型またはＴｍ２ａ型のいずれかで、熟果平均果重が１０〜７０ｇの小玉から中玉品種であれば、一本苗から品種ごとの枝がバランス良く健全に生育し、かつ正常な果実が収穫できることが判明した。また、果実色は赤と黄と橙のなかで平均果重がそれぞれ異なる品種の中から二〜四品種を選びかけあわせることが、各品種の果実の個性が明確になる上で好ましいと判断した。
以下、トマトの赤色と橙色と黄色の三色果実三品種での実施例を示す。【００１２】      １．接木前の苗の育成操作
赤色トマト（レッドオーレ）の種を、セル状の孔を有する７２穴育苗トレイに播種して苗（Ａ１）を育てて２５日目の生育は、草丈が８〜１０ｃｍ、本葉数が３枚に達した。
次に、〔図１〕に示すように、苗（Ａ１）の主枝（Ａ２）の先端部（Ａ３）を、園芸バサミで切断（切断線）した。その苗（Ａ１）を１６日育成した後、〔図２〕に示すような脇芽（Ａ５）が各葉の付け根（Ａ４、Ａ４−１）から長さ５〜５０ミリの間で発生し、接木のための切断時期と判断した。この接木前の苗（Ａ１）を、公知例であるトマトの三品種側枝三本仕立て苗（（特開２００１−３４００２２）の作成における接木前の苗と比較した結果を
【表−１】
に示す。
【表−１】
2006025779.tif 000003
※本発明、公知例それぞれ１０本のトマト苗調査。
以上の結果より、本発明は苗先端摘除により本葉枚数の進行が停止して各葉の付け根から１００％脇芽が発生し、長さ平均値２４〜４２ミリの脇芽を得ることができた。これに対し公知例は幼苗なので、脇芽が発生せず、接木後の脇芽発生を見込んで苗を作ることになる。
次に、〔図２〕に示すように、脇芽（Ａ５）が発生した苗（Ａ１）に、食紅を６００倍に希釈した着色液（１０）を簡易スプレー（１１）で噴霧した。そして、苗（Ａ１）を三箇所切断（切断線で示す）し、子葉を含む自根切断部分（Ａ６−１）と本葉を含む三つの切断部分（Ａ６）を得た。
また、橙色トマト（オレンジキャロル）と黄色トマト（イエローミミ）の苗についても同様に先端部を摘除して育成し、三箇所切断して子葉を含む自根切断部分と本葉を含む切断部分を得た。
このとき、橙色トマト（オレンジキャロル）の苗に食青（食品用着色料ブリリアントブルーＦＣＦを６００倍に希釈）を懸濁し簡易スプレー（１１）で噴霧した。これで、橙色トマト苗が青色、赤色トマト苗が赤色、黄色トマト苗が無色となり、苗を容易に識別できた。
２．接木操作
次に、〔図３〕に示すように、黄色トマトの自根切断部分（Ｃ６−１）に、赤色トマトの切断部分（Ａ６）を二本の線状部材（１２ａ、１２ｂ）を介して接木（７）し、さらに橙色トマトの切断部分（Ｂ６）を二本の線状部材（１２ａ、１２ｂ）を介して接木（７）した。線状部材は、針金（（株）コメリ製品  ユニクロ針金ミニ  番号３０）で、直径０．２８ｍｍのものを長さ１５ｍｍに切断して用いた
以下に、本発明の線状部材（１２ａ、１２ｂ）を用いた接木（７）と従来のピン接木法（製品名  タキイ種苗（株）製接ぎピン）との接木活着についての比較を
【表−２】
に示す。
【表−２】
2006025779.tif 000004
以上の結果より、本発明は従来法に比較し、接木接合部分が固定され、接木（７）活着の良いことが理解できる。
次に、〔図４〕に示すように、黄色トマトの切断部分（Ｃ６）に、赤色トマトの切断部分（Ａ６）を二本の線状部材（１２ａ、１２ｂ）を介して接木（７）し、さらに橙色トマトの切断部分（Ｂ６）を二本の線状部材（１２ａ、１２ｂ）を介して接木（７）し、さらに、黄色トマトの切断部分（Ｃ６）下端を７２穴育苗トレイに挿し木（９）して苗（８）を作成した。
複数品種苗の接木（７）であったが、接木前にそれぞれの苗を色分けしていたので、品種の接木間違いがなく、接木作業を円滑に行えた。
３．接木後の養生
接木（７）或は接木（７）と挿し木（９）を終えた後、直ぐそれらの接木苗（８）を育苗トレイごと湿度９５％程度、温度２７〜３２℃、薄曇り条件のもと３日間（但し、接木（７）と挿し木（９）を同時に行った接木苗（８）は５日間）養生した。その後直接日光の当たらない場所に育苗トレイを移して除々に外気に馴らす操作、馴化処理を数日行った
４．接木活着後の操作
〔図５〕に示すように、接木苗（８）のうち、赤色トマト、橙色トマト、黄色トマトの脇芽（Ａ５、Ａ５−１、Ｂ５、Ｂ５−１、Ｃ５、Ｃ５−１）が複数発生した場合について、それぞれ一本ずつ生育の揃った脇芽（Ａ５、Ｂ５、Ｃ５）を残し、他の脇芽（Ａ５−１、Ｂ５−１、Ｃ５−１）は摘除した。
次に、〔図６〕に示すように、接木苗（８）から伸長した脇芽（Ａ５、Ｂ５、Ｃ５）のうち伸長の早い赤色トマトの脇芽（Ａ５）について、その先端部（Ａ１３）を、芽（Ａ１５）の発生を確認した葉の付け根（Ａ１４−１）を残して摘除し、脇芽（Ａ５）の伸長バランスを整えた。〔図６〕では赤色トマトが伸長の早い脇芽（Ａ５）となっているが、橙色トマト、黄色トマトのいずれの脇芽（Ｂ５、Ｃ５）についても伸長が早い場合があり、同じように脇芽先端部を摘除して脇芽（Ｂ５、Ｃ５）の伸長バランスを適宜に整えた
５．本発明の三色トマト果実が実る野菜苗の植付けと収穫確認
接木苗（８）が育苗トレイの孔に根鉢を形成した時期、床土を詰めたポリポット直径１０．５ｃｍサイズに植え換え、育苗管理して３０日後、その苗を、畑の土を充填したプラスチック鉢（ディックプラスチック製ＮＰポット５１５×３９５）に植付けし、誘引、脇芽欠き、追肥など、通常のトマト有支柱栽培に準じる管理を行った。
【００１３】  ３月に播種し４月に本発明の苗を生産し５月に植え付けして栽培管理した結果、７月２０日には赤色トマトの枝は草丈１６８ｃｍ、７段果房着果始め、果数８８個内収穫済み１５個（平均果重５９ｇ）で、橙色トマトの枝は草丈１８２ｃｍ、８段果房着果始め、果数１１８個内収穫済み２９個（平均果重１２ｇ）で、黄色トマトの枝は草丈１７８ｃｍ、８段果房着果始め、果数１１５個内収穫済み２７個（平均果重１４ｇ）となった。よって本発明の一本のトマト苗に、赤色と黄色と橙色の小玉から中玉果実が３００個以上着果し、現時点で７０個以上収穫でき、各枝の草丈は１６８〜１８２ｃｍで伸長バランスは良くかつ健全に生育した。
また果実が赤色中玉（レッドオーレ）と黄色小玉（イエローミミ）の二品種、赤色中玉（レッドオーレ）と黄色小玉（イエローミミ）と赤色小玉（千果）の三品種、さらに黄色小玉（イエローミミ）と赤色中玉（タキイ種苗（株）製：ルイ４０）と赤色小玉（千果）と橙色小玉（オレンジキャロル）の四品種のかけあわせ接木苗も作って栽培したが、それぞれの接木苗の各枝は伸長バランスが良くかつ健全に生育し、品種ごとに特色を持った健全果実を収穫できた注）（）内は品種の名称を示す。８〜９月と収穫は継続するが、現時点で本発明の完成とみなし特許出願に踏み切った。（北東北  岩手県陸前高田市における２００４年７月までの栽培実績結果）
【００１４】次に、本発明の数種類の果実が実る野菜苗について、トマトの二品種かけあわせ接木苗を作成し、公知例の野菜の二品種側枝二本仕立て苗と比較した結果を示す。
【実施例３】
【００１５】
【００１６】  赤色トマト（タキイ種苗（株）製  品種：ルイ４０  ＴＭＶ抵抗性Ｔｍ２ａ）と黄色トマト（カネコ種苗（株）製  品種：イエローミミ  ＴＭＶ抵抗性Ｔｍ２）の種を、セル状の孔を有する１２８穴育苗トレイに播種し２５日目の生育は、それぞれ草丈が８〜９ｃｍ、本葉数が３枚に達した。
本発明の苗について、図示していないが、主枝の先端部分を、園芸バサミで切断し１６日育成した後、脇芽発生を確認した苗の節間を三箇所切断し、子葉を含む自根切断部分と本葉を含む切断部分を得た。この場合、二品種の一方の苗（赤トマト）を食紅液で染めた。その結果、苗の葉姿が同じでも品種ごとの苗が容易に区分けできた。次に、二品種の自根切断部分に、品種の異なる切断部分を二本の線状部材を介して接木し苗を作成した。また、二品種の切断部分同士を接木し、挿し木した苗も作成した。そして苗に赤トマトと黄色トマトのそれぞれの脇芽を一本ずつ残し、余分な脇芽は摘徐した。また、接木苗から伸長した脇芽のうち伸長の早い脇芽について、その先端部を切除して脇芽の伸長バランスを整えた
それに伴い従来法（特願平１１−３１９１３９参照）の苗についても、赤トマトと黄色トマトの本葉３枚期の苗について、子葉と第二本葉の間の茎を一箇所切断し、苗を切断下段部と切断上段部に分け、赤トマト苗の切断下段部に黄色トマトの切断上段部を接木し、その接木で残った赤トマト切断上段部を黄色トマト切断下断部に接木して、二本の接木苗を作成した。接木支持具はタキイ種苗（株）製のピンを用いた。そして接木苗について、主枝の先端部を切断して取り除き、品種ごとの脇芽の発生を促し、苗を作成した。【００１７】本発明の数種類の果実が実る野菜苗と、公知例の二品種側枝二本仕立て苗とを比較した結果を
【表−３】
に示した。
【表−３】
2006025779.tif 000005
以上の結果より、本発明は公知例と比較し、苗から接木苗を多く作成でき、品種ごとの脇芽が確実に発生し、その脇芽伸長バランスにおいても良好な苗である。よって苗の商品化率が高く、販売苗として見栄えが良い二品種の枝を有するトマト一本苗を提供できる。
【本発明の効果】
【００１８】  本発明は、二種類以上のナス科果菜苗について、各苗の先端部を摘除し、葉の付け根の脇芽が発生した部分を切断して接木でかけあわせることにより、接木苗から数種類のナス科果菜の枝が確実に伸長しうる効果を有する。
そして、一本の野菜苗に数種類の実がたわわに実り、色彩が鮮やかで食味豊かな収穫の喜びをもたらす効果を有する。これはベランダ菜園、家庭菜園などの小規模栽培において、集約的、効率的な苗として重宝される利点がある。
また、育成した苗を複数切断し、接木或は挿し木と接木を並行することにより、苗を効率良く接木苗生産に利用でき、また、接木前に苗を色分けして接木間違いを防ぎ、また、特珠な線状部材を接合部の茎に差し込んで接木活着率を高める効果を有する。また、接木苗の脇芽の伸長が不釣合な場合、簡便な先端部切除操作で修正でき、販売苗として見栄えを好ましくする利点を有する。
また本発明のトマト苗は、相性の良いＴＭＶ抵抗性因子の品種を用いることで品種ごとの枝が健全に生育し、また小玉〜中玉果実なので品種ごとの枝の生育揃いも良く、さらに有支柱栽培で赤色、黄色、橙色の果実の彩りが鮮やかで、その上一本苗の根を通じて複数の果実が実るので、果実が濃縮されて糖度が上がるなどの果実品質が向上する利点もある。
よって本発明は、苗先端部摘除、苗の着色識別、苗の複数切断、接木或は接木と挿し木併用、特殊な接ぎ木具の使用、脇芽先端部切除などの簡便な方法で、近未来型である数種類の果実が実る野菜苗の生産を可能とし、苗生産効率も高く、生産原価を大幅に下げて、一般に普及しうる効果も合わせて奏するものである。
【図面の簡単な説明】
【００１９】
【図１】本発明の数種類の果実が実る野菜苗について、苗（Ａ１）の生育先端部（Ａ３）摘除を示す概略説明図である。
【図２】本発明の数種類の果実が実る野菜苗について、苗（Ａ１）の複数切断を示す概略説明図である。
【図３】本発明の数種類の果実が実る野菜苗について、接木（７）を示す概略説明図である。
【図４】本発明の数種類の果実が実る野菜苗について、接木（７）と挿し木（９）を示す概略説明図である。
【図５】本発明の数種類の果実が実る野菜苗について、各ナス科果菜の脇芽（Ａ５、Ａ５−１、Ｂ５、Ｂ５−１、Ｃ５、Ｃ５−１）を一本ずつにする概略説明図である。
【図６】本発明の数種類の果実が実る野菜苗について、脇芽（Ａ５）の生育先端部（Ａ１３）切除を示す概略説明図である。
【符号の説明】
（Ａ１）…ナス科果菜苗                  （１１）…簡易スプレー
（Ａ２）…主枝                          （１２ａ）…線状部材
（Ａ３）…先端部                        （１２ｂ）…線状部材
（Ａ４）…本葉の付け根                  （Ａ１３）…脇芽先端部
（Ａ４−１）…子葉の付け根              （Ａ１４）…脇芽の葉の付け根
（Ａ５）…脇芽                          （Ａ１４−１）…脇芽の葉の付け根
（Ｂ５）…脇芽                          （Ｂ１４）…脇芽の葉の付け根
（Ｃ５）…脇芽                          （Ｃ１４）…脇芽の葉の付け根
（Ａ５−１）…脇芽                      （Ａ１５）…芽
（Ｂ５−１）…脇芽
（Ｃ５−１）…脇芽
（Ａ６）…切断部分
（Ａ６−１）…自根切断部分
（Ｂ６）…切断部分
（Ｃ６）…切断部分
（Ｃ６−１）…自根切断部分
（７）…接木
（８）…接木苗
（９）…挿し木
（１０）…着色液
【図１】
2006025779.tif 000006
【図２】
2006025779.tif 000007
【図３】
2006025779.tif 000008
【図４】
2006025779.tif 000009
【図５】
2006025779.tif 000010
【図６】
2006025779.tif 000011